(57)【特許請求の範囲】
【請求項１】
動画像信号などの連続データを伝送し、受信部で該連続データを出力する伝送装置の受信部において、送信部に入力される伝送すべき連続データに関係するデータと、その連続データの入力レートの基準となる送信部システムクロックの周波数に、受信部での連続データの出力レートの基準となる受信部システムクロックの周波数を合わせるための受信部システムクロック再生情報が、少なくとも多重化された受信部入力ストリームを入力し、その受信部入力ストリームから上記連続データに関係するデータを抽出し、連続データを再生し出力するデータ再生部と、その連続データの出力レートの基準となる受信部システムクロックを発生する受信部システムクロック発生部と、上記受信部入力ストリームから受信部システムクロック再生情報を抽出する受信部システムクロック再生情報抽出部と、上記受信部システムクロックで動作するカウンタと、該カウンタの値と上記受信部システムクロック再生情報抽出部から抽出された値との差分値を検出する差分検出器を有する受信部システムクロック発生制御部を具備するもので、受信部に到着した前回の受信部システムクロック再生情報から現在の受信部システムクロック再生情報までの間隔を測定し、その測定値に対し所定の規格で規定された最大間隔値を基準とした比を求め、その逆数に相当する値を出力する間隔測定部を設け、上記受信部システムクロック発生制御部に、上記差分検出器から出力された差分値に上記間隔測定部からの出力値を乗算する乗算器を設け、該乗算器出力を用いて上記受信部システムクロック発生部を制御する情報を生成し、上記受信部システムクロック発生部に出力することを特徴とするデータ伝送装置。
【発明の詳細な説明】
【０００１】
【発明の属する技術分野】
本発明は動画像信号を伝送し受信再生、もしくは蓄積装置から読みだし再生する装置の改良に関するものである。
【０００２】
【従来の技術】
近年、画像処理技術とりわけ画像データ、音声データの圧縮技術は、めざましい発展を遂げている。そして、その圧縮技術を利用し圧縮されたデータを遠隔地に伝送する応用システムも急速に普及している。
【０００３】
このような伝送システムでは、送信部における画像データなどの入力レートと、受信部の対応する画像データなどの出力レートを同一にする必要がある。つまり、送信部と受信部で入出力レートに差異があれば、結果として受信部の画像データなどの出力に、データの欠損が発生するなどの問題が生じる。
【０００４】
一般にこのような問題を解決するには、送信部に入力される画像データなどの入力レートの基準になる単一のクロックを送信側で発生し、これと同一の周波数のクロックを受信部で再生するようにする。そして、出力する画像データなどの出力レートの基準に、受信部で再生したこのクロックを用いることで実現している。（この送信部、受信部の入出力レートの基準になるクロックを、以下送信部システムクロック、受信部システムクロックと呼ぶ。）一般的には、送信部システムクロックの周波数が、ある比率（必ずしも１：１ではない比率）で画像データなどの入力レートにロックするようにしている。
【０００５】
このため、伝送路上に流されるストリームには、圧縮データの他に、受信部でシステムクロックを再生するために必要な情報も多重化されている。以下この情報を、受信部システムクロック再生情報と呼ぶ。国際規格のＭＰＥＧ２（Ｍｏｖｉｎｇ  Ｐｉｃｔｕｒｅ  Ｅｘｐｅｒｔｓ  Ｇｒｏｕｐ  ｐｈａｓｅ２）では、この情報をＰＣＲ（Ｐｒｏｇｒａｍ  Ｃｌｏｃｋ  Ｒｅｆｅｒｅｎｃｅ），またはＳＣＲ（Ｓｙｓｔｅｍ  Ｃｌｏｃｋ  Ｒｅｆｅｒｅｎｃｅ）という名称で定義している。
【０００６】
次に、より具体的な従来技術によるシステム構成例を図２に示す。図２において、伝送路１を境に送信部２０と受信部３３に区別される。また、図２は画像データのみを処理し、前述の送信部システムクロックの周波数は、入力画像データのレートと１：１の比率でロックする場合の例を示している。
【０００７】
送信部２０には、入力画像データ２１と、そのクロックである入力画像データクロック２２が入力される。送信部２０では、入力画像データ２１が圧縮符号化され、圧縮データとなる。一方入力画像データクロック２２をもとに、送信部システムクロック２３が生成される。そして、送信部システムクロック２３で動作するカウンタ２４のカウンタ値が所定の間隔で周期的にホールドされ、受信部システムクロック再生情報となる。そして、前記圧縮データと受信部システムクロック再生情報とがそれぞれ多重化され、ストリーム２５となって伝送路１に出力される。なお、このストリーム２５は、伝送路１からの伝送クロック２６に従って出力する。
【０００８】
伝送路１は、上述のストリーム２５を伝送クロック２６に従い送端から取り込み、受端にストリーム３として、伝送クロック４とともに、それに同期して出力する。なお、伝送クロック２６と伝送クロック４の周波数は同一である。受信部３３は、伝送路１から得た伝送路速度のストリーム３を受信部システムクロック再生情報抽出部６とビデオ復号化処理部５に入力し、入力したストリームから受信部システムクロック再生情報と圧縮データとを識別し分離してそれぞれ処理する。それにより、受信部システムクロック再生情報７をもとに受信部システムクロック２７が再生される。この時、ＶＣＯ制御部２８は、受信部システムクロック２７の周波数が送信部システムクロック２３の周波数と同一になるように（ロックするように）ＶＣＯ１４を制御する。
【０００９】
この受信部システムクロック２７は、ビデオ復号化処理部５に供給される。ビデオ復号化処理部５に入力された圧縮データは、該受信部システムクロック２７に応じて復号され、出力画像データ１９となって出力される。また、ビデオ復号化処理部５は受信部システムクロック２７を基準にして、出力画像データクロック１８を生成し、同様に出力する。
【００１０】
以上のように、入力画像データ２１の入力レートを基準にした送信部システムクロック２３が送信部２０において生成され、受信部３３では受信部システムクロック再生情報７をもとに、送信部２０における送信部システムクロック２３と同一周波数の受信部システムクロック２７が再生される。そして、その受信部システムクロック２７を基準に出力画像データ１９が出力されるため、入力画像データ２１と出力画像データ１９のレートを同一とすることができる。
【００１１】
各部の内部構成と動作をもう少し詳しく説明する。送信部２０は、ビデオ符号化処理部２９、カウンタ２４、ホールド回路３０、切り替え器３１、送信部システムクロック発生器３２からなる。ビデオ符号化処理部２９の書き込み側、送信部システムクロック発生器３２には、入力画像データクロック２２が供給される。例えば、その周波数は２７ＭＨｚである。送信部システムクロック発生器３２は、入力画像データクロック２２にロックした送信部システムクロック２３を出力する。ここでは、入力画像データクロック２２と送信部システムクロック２３の比率を１：１と仮定しているため、送信部システムクロック２３も２７ＭＨｚになる。
【００１２】
符号化処理部２９の読み出し側、ホールド回路３０、切り替え器３１には、伝送路１に関連した伝送クロック２６が供給される。ビデ才符号化処理部２９は、入力画像データを入力画像データクロック２２で取り込み、圧縮データに変換する。圧縮データは、伝送路１の容量より小さいデータレートとされる。この圧縮データは、伝送クロック２６で多重化タイミング、に合わせて読み出され、切り替え器３１によりストリーム２５へ出力される。
【００１３】
カウンタ２４は、送信部システムクロック２３にて動作するカウンタであり、いわば、送信部が基準とする時計である。ホールド回路３０は多重化タイミングに従ってカウンタ値をホールドし受信部システムクロック再生情報として切り替え器３１に出力され、圧縮データと多重化され、ストリーム２５へ出力される。
【００１４】
この受信部システムクロック再生情報付加において、ある受信部システムクロック再生情報から次の受信部システムクロック再生情報までの最大の間隔については、一般に規定されている。例えば、ＭＰＥＧ２では、ＳＣＲの間隔について最大０．７秒、ＰＣＲについては、最大０．１秒と規定している。しかし、実際に付加されるその周期については特に規定がないため、それぞれのアプリケーションによって異なる。
【００１５】
送信部２０の出力であるストリーム２５は、基本的に受信部システムクロック再生情報、圧縮データを繰り返す形で構成され、最終的に例えば、６．１４４Ｍｂｐｓでのデータ群となる。
【００１６】
次に、受信部３３について説明する。受信部３３は、受信部システムクロック再生情報抽出器６、カウンタ１２、ホールド回路９、ビデオ復号化処理部５、ＶＣＯ制御部２８、ＶＣＯ１４からなる。（ＶＣＯは、Ｖｏｌｔａｇｅ  Ｃｏｎｔｒｏｌｌｅｄ  ０ｓｃｉｌｌａｔｏｒの略）
ビデオ復号化処理部５の入力側および受信部システムクロック再生情報抽出器６には、伝送クロック４（例えば、周波数６．１４４ＭＨｚ）が伝送路１から供給される。ビデオ復号化処理部５の出力側およびカウンタ１２には、受信部システムクロック２７（周波数２７ＭＨｚ）が供給される。ビデオ復号化処理部５は、ストリーム３から圧縮データを抽出し、元の画像を復号再生する。
【００１７】
次にＶＣＯ制御部２８の構成を説明する。ＶＣＯ制御部２８は、差分検出器２８−１、ＤＡ変換器１７−３、アンプ１７−４、ＬＰＦ（Ｌｏｗ  Ｐａｓｓ  Ｆｉｌｔｅｒ）１７−５から構成される。
【００１８】
差分検出器２８−１は、カウンタ値をホールドするホールド回路９の出力１０と受信部システムクロック再生情報抽出器６で抽出された受信部システムクロック再生情報７の値の差分値をディジタルエラー値を示す信号ｄｅとして出力する。信号ｄｅはＤＡ変換器１７−３でアナログの工ラー量である信号ａｅに変換される。そして、エラー量信号ａｅは、ＡＭＰ１７−４でゲイン変換され、ＬＰＦ１７−５で平均化されて信号ｆになる。ＶＣＯ１４は制御信号ｆの電圧値に応じて、出力周波数を高めたり低めたりする動作を行う。
【００１９】
その動作の制御は、カウンタのホールド出力１０が受信部システムクロック再生情報７の値よりもより大きい場合に、受信部システムクロック２７の周波数がより低くなるようにＶＣＯ１４が制御されることで実現される。
【００２０】
基本的に、カウンタ１２のホールド出力１０が、受信部システムクロック再生情報７の値よりも大きい場合は、受信部のカウンタ１２を動作させている受信部システムクロック２７の周波数が、送信部のカウンタ２４を動作させている送信部システムクロック２３の周波数より高くなる。このため上記のような制御で、受信部システムクロック２７の周波数を送信部システムクロック２３の周波数により近づけることができ、最終的に同一にする（ロックさせる）ことができる。
【００２１】
前述したように受信部システムクロック再生情報は、周期的にストリーム３に多重化されているため、差分検出器２８−１で差分を検出し、ＶＣＯ１４を制御するという動作が繰り返される。このことにより、送信部システムクロック２３と受信部システムクロック２７の周波数が同一となり、カウンタ値のホールド出力１０と、受信部システムクロック再生情報抽出器６の値である受信部システムクロック再生情報７の値の差は、ある一定値に収束することになる。つまり、この状態が受信部システムクロック２７が、送信部システムクロック２３にロックした状態となる。
【００２２】
ここで、前述したＶＣＯ制御部２８の動作、特にｄｅからｆまでのゲイン設定について、より詳細に述べる。まず差分検出器２８−１は、受信部システムクロック再生情報７の値からカウンタのホールド出力１０の値を減算して、ｄｅとする。そして、ｄｅの下位１６ビットをＤＡ変換器１７−３で変換し、ａｅとする。また、このａｅの電圧変化は１Ｖｐ−ｐとする。そして、ＶＣＯ１４の制御電圧に対する周波数変更特性は、２０ｐｐｍ／Ｖとする。なお、初期状態においてＶＣＯ１４の入力ｆは、変更電圧範囲の中間電位となっているものとし、このときＶＣＯ１４の出力である受信部システムクロック２７は、２７ＭＨｚとなるとする。
【００２３】
この構成で、ｄｅからｆまでのゲイン調整は、アンプ１７−４で実行される。ここでｄｅからｆまでのゲインは主に、最大の受信部システムクロック再生情報間隔と、送信部システムクロック２３の最大周波数偏差と、ＶＣＯ１４の周波数変更特性に依存する。
【００２４】
ＭＰＥＧ２では、最大のＳＣＲの間隔を０．７秒、送信部システムクロック２３の許容周波数偏差は、２７ＭＨｚ±３０ｐｐｍとなっている。本説明ではこの仕様と同じとする。また、ＶＣＯの周波数変更特性については、上記したように２０ｐｐｍ／Ｖと仮定する。
【００２５】
このような設定において、アンプ１７−４のゲインは、ｄｅの出現しうる最大の絶対値において、ＶＣＯ１４の制御が発振しないように（周波数の変更し過ぎにならないように）設定しなければならない。ｄｅの出現しうる最大の絶対値は、ＶＣＯ１４が初期状態の２７ＭＨｚの受信部システムクロック２７を出力しているときで、受信部システムクロック再生情報間隔が０．７秒で、さらに送信部システムクロック２３が、２７ＭＨｚ＋３０ｐｐｍまたは、２７ＭＨｚ−３０ｐｐｍのときに発生する。
【００２６】
仮に、２７ＭＨｚ＋３０ｐｐｍとすれば、ｄｅは（１）式のようになる。
ｄｅ＝（27000810×0.7）−（27000000×0.7）≒567          ・・（１）
ここで（）の第１項は、０．７秒間に送信部カウンタ２４がカウントする値で、（）の第２項は、０．７秒間に受信部カウンタ１２がカウントする値で、27000810は＋３０ｐｐｍの場合の周波数である。
【００２７】
このｄｅの値は、ＤＡ変換器１７−３で変換され、（２）式に示す電圧ａｅだけ、変化する。
ａｅ＝（５６７÷２１６）×１ｖ≒０．００８６ｖ          ・・（２）
従って、このａｅの値によって、ＶＣＯ１４が３０ｐｐｍに変化するように、アンプ１７−４のゲインを設定すればよい。単純には、式（２）の値で、３０ｐｐ旧変化するようにゲインを求めればよい。
【００２８】
これを式（３）に示す。
ゲイン=（30ｐｐｍ÷20ｐｐｍ／ｖ）÷（0.0086ｖ）≒174      ・・（３）
ここで（30ｐｐｍ÷20ｐｐｍ／ｖ）は、ＶＣＯ１  ４が３０ｐｐｍ変化するのに必要な電圧変化である。この内の２０ｐｐｍ／ｖは、ＶＣＯ１  ４の周波数変更特性、（0.0086ｖ）は、（２）式の値である。
【００２９】
従って、ゲインは１７４倍に設定することで、１度に３０ｐｐｍの誤差を補正することができ、受信部システムクロック２７の周波数を送信部システムクロック２３の周波数にロックさせることができる。
【００３０】
ところが、受信部システムクロック再生情報間隔が０．７秒の１／１０である０．０７秒だとする。この場合、ｄｅは５６．７になり、ａｅは０．０００８６ｖになる。つまり、３０ｐｐｍの１／１０である３ｐｐｍしか一度に補正できず、最終的に受信部システムクロック再生情報７の値とカウンタのホールド出力１０の値の比較を、１０回以上繰り返した後に、受信部システムクロック２７の周波数がロックすることになる。つまり、必要以上に周波数がロックするための時間を要する。基本的には、このロックするまでの間、入力画像データ２１の入力レートと出力画像データの出力レートが一致しないため、出力画像データ１９に欠損などの誤動作が発生する可能性が有り、伝送装置の安定性に問題があった。
【００３１】
【発明が解決しようとする課題】
従来の伝送装置は、受信部のシステムクロック再生動作パラメータ（主にゲイン）が、伝送路上のストリームに多重化されている受信部システムクロック再生に必要な情報（ＭＰＥＧ２のＳＣＲまたはＰＣＲに相当する。）の多重化間隔の最大値を基準に設定されている。このため、受信部システムクロック再生情報の間隔が最大値より小さい場合、受信部システムクロックの周波数は、送信部システムクロックの周波数と同一になる、すなわち、ロックするのに必要以上の受信部システムクロック再生情報比較が要求され、必ずしも最適な動作をしない。このため、このロックするまでの間に、受信部の出力画像データに欠損などの誤動作が発生する可能性が有り、伝送装置の安定性に問題があった。
【００３２】
本発明は、この問題を解決するため、受信部システムクロック再生情報の多重化間隔を考慮し、受信部システムクロック再生動作パラメータ（主にゲイン）を動的に設定することで、どのような受信部システムクロック再生情報間隔のストリームに対しても、常に最適な受信部システムクロック再生動作を可能とし、より安定性の有る伝送装置の提供を目的とする。
【００３３】
【課題を解決するための手段】
前記目的を達成するため、本発明の伝送装置の受信部は、送信部に入力される伝送すべき連続データに関係するデータと、その連続データの入力レートの基準となる送信部システムクロックの周波数に、受信部での連続データの出力レートの基準となる受信部システムクロックの周波数を合わせるための受信部システムクロック再生情報が、少なくとも多重化されたストリームに入力するもので、その受信部入力ストリームから連続データに関係するデータを抽出して出力すべき連続データを再生し出力するデータ再生部と、その連続データの出力レートの基準となる受信部システムクロックを発生する受信部システムクロック発生部と、受信部入力ストリームから受信部システムクロック再生情報を抽出する受信部システムクロック再生情報抽出部と、受信部システムクロックで動作するカウンタと、前記カウンタの値と受信部システムクロック再生情報抽出部から抽出された値を比較し、前記受信部システムクロック発生部を制御する情報を生成する受信部システムクロック発生制御部を具備し、特に前記受信部システムクロック発生制御部において、受信部に到着した前回の受信部システムクロック再生情報から現在の受信部システムクロック再生情報までの間隔を測定する間隔測定部を具備するものである。
【００３４】
それにより、本発明の受信部は、まずデータ再生部で、受信部入力ストリームから連続データに関係するデータを抽出して出力すべき連続データを再生し出力する。その連続データの出力レートの基準となる受信部システムクロックを、受信部システムクロック発生部が発生する。一方、受信部システムクロック再生情報抽出部が受信部入力ストリームから受信部システムクロック再生情報を抽出する。次に、間隔測定部により、受信部に到着した前回の受信部システムクロック再生情報から現在の受信部システムクロック再生情報までの間隔を測定する。その結果により、受信部システムクロック発生制御部が、受信部システムクロックで動作するカウンタの値と、受信部システムクロック再生情報抽出部から抽出された値を比較した結果から、受信部システムクロック発生部を制御する情報を生成する時のゲインを最適化し、受信部システムクロックの周波数を送信部システムクロックの周波数に合わせる。
【００３５】
【発明の実施の形態】
本発明によるデータ伝送装置の受信部を、図１を使用し説明する。図１では、ＶＣＯ制御部１７と間隔測定部１５の部分を除いて、従来例の技術で説明した図２と基本的に同じ構成である。
【００３６】
図１の受信部２は、伝送路１からストリーム３と伝送クロック１３を入力し、出力画像データ１９と出力画像データクロック１８を出力する。受信部２のビデオ復号化処理部５は、伝送路１からのストリーム３と伝送クロック４、及びＶＣＯ１４からの受信システムクロック１３を入力し、出力画像データ１９と出力画像データクロック１８を出力する。また、受信部システムクロック再生情報抽出部６は、伝送路１からのストリーム３と伝送クロック４を入力し、受信部システムクロック再生情報７をＶＣＯ制御部１７に出力する。さらに、受信部システムクロック再生情報抽出部６は、データ８をホールド回路９と間隔測定部１５に出力する。なお、間隔測定部１５はデータ１６をＶＣＯ制御部１７に出力する。
【００３７】
一方、ＶＣＯ制御部１７は、信号ｆをＶＣＯ１４に出力する。ＶＣＯ１４は、受信部システムクロック１３をビデオ復号化処理部５とカウンタ１２に出力する。そのカウンタ１２は、カウンタ値１１をホールド回路９に出力する。
【００３８】
次に動作について説明する。ＶＣＯ制御部１７と間隔測定部１５以外の動作は、従来例の技術で説明したものと同様である。
【００３９】
ＶＣＯ制御部１７では、差分検出器１７−１とＤＡ変換器１７−３の間に乗算器１７−２が配置されている。これにより、差分検出器１７−１の結果であるｄｅのゲインを変更可能とした。ゲイン変更されたｄｅは、ｄｅ’としてＤＡ変換器１７−３に入力される。後は、従来と同様に信号ｆに変換され、ＶＣＯ１４を制御する。
【００４０】
また、前記乗算器１７−２によるゲインは、間隔測定部１５のデータ１６で調整される。一方、受信部システムクロック再生情報抽出部６からのデータ８は、ストリーム３から受信部システムクロック再生情報を抽出するたびに、抽出した時点のタイミングを通知するものである。間隔測定部１５は、このデータ８を入力することで、前回の受信部システムクロック再生情報が抽出されてから、現在の受信部システムクロック再生情報が抽出されるまでの間隔を測定し、その結果に応じて乗算器１７−２のゲインを調整するためのデータ１６を出力する。
【００４１】
ここで、より具体的な動作について、従来の技術で行った説明をもとにして説明する。
まず、最大の受信部システムクロック再生情報間隔、送信部システムクロックの最大周波数偏差、ＶＣＯ１４の周波数変換特性を従来の技術で説明したものと同様とし、アンプ１７−４のゲインも１７４倍と同様に設定したとする。
【００４２】
このとき、間隔測定部１５で測定した、受信部システムクロック再生情報間隔が０．７秒だったとする。この場合、乗算器１７−２のゲインが１倍となるように、データ１６を出力するようにする。つまり、乗算器１７−２が無い従来の技術と同様の動作であり、それは０．７秒の間隔のときに最適動作するものである。
【００４３】
次に、従来の技術の説明時に問題となった、例えば、受信部システムクロック再生情報が０．０７秒の間隔（０．７秒より小さい間隔）の場合の動作について説明する。この場合、ｄｅは０．７秒のときに比べ、ｌ／ｌ０の値になり、そのままＤＡ変換器１７−３に入力しても、信号ｆによる変化も１／１０となり、結果ＶＣＯｌ４の周波数の変化も少なくなるので、必要以上の繰り返し動作の後に、受信部システムクロック１３の周波数がロックすることになったものがある。
【００４４】
そこで本発明では、図１に示すように、例えば０．０７秒間隔であることを間隔測定部１５で測定したら、乗算部１７−２のゲインが１０倍になるように、データ１６を出力するよう動作する。これにより、ｄｅ’は０．７秒の時と同じ値になり、必要最低限の繰り返し動作で、高速に、受信部システムクロック１３の周波数がロック可能になる。そして、受信部の出力画像データ１９における欠損などの誤動作に対し、より安定動作が可能な伝送装置が実現できる。
【００４５】
なお、アンプ１７−４のゲインが上述のように、最大の受信部システムクロック再生情報間隔を基準に設定されている場合は、乗算部１７−２のゲインが式（４）で求めるゲインになるように、間隔設定部１５のデータ１６を出力するようにすればよい。
【００４６】
ゲイン＝ｍａｘＤ÷ｒｅａｌＤ・・（４）
ここで、ｍａｘＤ：最大の受信部システムクロック再生情報間隔である。
ｒｅａｌＤ：実際の受信部システムクロック再生情報間隔である。
【００４７】
また、ＶＣＯ制御部１７全体でのゲインは、主に乗算部１７−２とアンプ１７−４で決定されるが、本発明はその配分を規定するものではなく、アンプ１７−４におけるゲインを乗算部１７−２に考慮しても良く、またその逆でも良い。但し、乗算部１７−２のゲインをアンプ１７−４に考慮した場合は、当然のことながら、データ１６によるゲイン変更機能がアンプ１７−４に存する必要がある。さらに、ＶＣＯ制御部１４のｄｅ’までの出力機能と、間隔測定部１５の機能を含めて、ＣＰＵで実現することも可能である。
【００４８】
【発明の効果】
本発明によれば、受信部に到着した前回の受信部システムクロック再生情報から現在の受信部システムクロック再生情報までの間隔を測定した結果により、受信部システムクロック発生制御部が、受信部システムクロックで動作するカウンタの値と、受信部システムクロック再生情報抽出部から抽出された値を比較した結果から、受信部システムクロック発生部を制御する情報を生成する時のゲインを最適化し、受信部システムクロックの周波数を送信部システムクロックの周波数に一致するようにした。
【００４９】
これにより、どのような受信部システムクロック再生情報の間隔に対しても、必要最低限の繰り返し動作で、高速に、受信部システムクロックの周波数がロック可能になる。そして、受信部の出力画像データにおける欠損などの誤動作にたいし、安定動作が可能な伝送装置が実現できる。
【図面の簡単な説明】
【図１】本発明のデータ伝送装置の受信部のブロック構成例を示す図。
【図２】従来技術による伝送装置のブロック構成例を示す図。
【符号の説明】
１：伝送路、２：受信部、５：ビデオ復号化処理部、６：システムクロック再生情報抽出部、９：ホールド回路、１２：カウンタ、１４：ＶＣＯ、１５：間隔測定部、１７−１：差分検出器、１７−２：乗算器、１７−３：ＤＡ変換器、１７−４：アンプ、１７−５：ＬＰＦ。
【図１】
0003767966.tif 000002
【図２】
0003767966.tif 000003